(57)【要約】【課題】  従来のニクロム線を熱源とした温熱器具は、故障による過熱の危険性、電力消費量が大となること、人体に接する使用形態から有害電磁波の放出という危険性があり、面状ＰＴＣを熱源とした温熱器具は、頻繁な折曲げや極度の鋭角折曲げによって、熱源部や通電部に亀裂損傷が生じやすい。【解決手段】  波長６〜１０μｍの間にピーク波長があるＰＴＣ面状発熱体を熱源とし、その片面に補強材としてＰＥＴ材を密着させ、その外側に緩衝材としてスポンジ状樹脂材を配し、これらの外側を撥水処理した天然繊維布で覆った面状の温熱器具、あるいは同熱源の片面に、石灰岩系の石板１枚もしくは複数枚を固定具で固定し、反対側の他面に断熱材をあてがい、これら全体の周囲を木材で固定するとともに、断熱材の外側には底板合板を取り付けた温熱器具である。【選択図】図１
2011194193.tif 000002
【特許請求の範囲】
【請求項１】
６〜１０μｍの間にピーク波長を有するＰＴＣ特性を有した面状発熱体を熱源とし、面状発熱体の少なくとも片面に、適度な剛性と弾力性及び耐亀裂性を有する樹脂材を密着させ、その外側の少なくとも片面に、緩衝用としてスポンジ状樹脂材を配し、これら全体の外側を外被用被膜体として無害性、通気性、強靭性、撥水性を有する布地で覆った温熱器具。
【請求項２】
６〜１０μｍの間にピーク波長を有するＰＴＣ特性を有した面状発熱体を熱源とし、この面状発熱体の片面に石灰岩系の石板１枚もしくは複数枚を固定具で固定し、反対側の他面に断熱材をあてがい、これら全体の周囲を木材で固定するとともに、断熱材の外側には底板合板を取り付けた温熱器具。
【発明の詳細な説明】
【技術分野】
【０００１】  本発明は、人の身体を直接または間接的に温めるＰＴＣ特性をもった発熱体からなる面状温熱器具に関するものである。
【背景技術】
【０００２】  人体を温める温熱器具としては多種あるが、加温熱源がニクロム線の場合、サーモスタットや温度センサーによって温度維持を行い、コントローラによって電流を変え温度調整をおこなうことが可能である。しかし熱源部が故障した場合による過熱や電力消費量が大となる問題があった。一方必要とする温度になると急速に電気抵抗が増して電流が流れなくなるというＰＴＣ特性を持った熱源は、熱源そのものが温度制御機能を有し、温度を制御するコントローラが不要で、過熱しないという安全性がある。しかしＰＴＣ発熱線をフイルムに印刷した熱源はその脆弱な仕様のため、頻繁な折曲げ、極度の鋭角折曲げによって、発熱線部が亀裂損傷しやすいという弱点があった。そのためフイルム状の面状発熱体は折曲げの力が加わらないもっぱら床下暖房用として使われているのみであった。
【先行技術文献】
【０００３】
【特許文献１】特開２００１−１４９３９９
【特許文献２】特開２００１−１６０４７７
【特許文献３】特開平１０−３２８２２３
【発明の概要】
【発明が解決しようとする課題】
【０００４】  前記のニクロム線を熱源とした温熱器具は、温度を調節するコントローラが必要で、故障による過熱の危険性、電力消費量が大となる問題、および人体に接するにもかかわらず有害性があると云われる電磁波放出が多いという問題がある。一方ＰＴＣ特性を持ったフイルム状の発熱体は、熱源そのものが温度制御機能を有し、省エネルギーで人体に優しい遠赤外線を出しやすいという特長をもつが、頻繁な折曲げ及び極度の鋭角折曲げに弱いという構造的な弱点を持ち、また電流量によっては温度調整が出来ないので、こうした温熱器具は製品としては提供されていなかった。
【課題を解決するための手段】
【０００５】  本発明は、面状でＰＴＣ特性を有した熱源（以下、これをＰＴＣ面状発熱体という）は、６〜１０μｍの間にピーク波長をもった遠赤外線を放射させやすく、コントローラが不要で、過熱がなく安全で省エネルギーでもあることに着目したもので、このＰＴＣ面状発熱体を被膜体で覆って温熱器具としたものである。さらにこの面状発熱体の脆弱さの補強目的のために、適度な剛性と弾力性および耐亀裂性を有する樹脂材、例えばポリエチレンテレフタレート（ＰＥＴ）材を面状発熱体の上下どちらかの片面に密着させ、その外側に緩衝用としてスポンジ状樹脂材、例えばポリウレタン材を配し、外被用被膜体として無害で通気性、強靭性、撥水性をもった布地、例えば天然繊維布で最外側を覆って温熱器具としたものである。【０００６】  本発明はまたＰＴＣ特性を有する面状発熱体を熱源とし、この熱源の片面に、遠赤外線の吸収と放射に優れた石灰岩系の石板を固定具、例えばステンレス鋼製金具で固定し、熱源の他面、すなわち下側の片面には板状断熱材をあてがい、これらの周囲を木材で固定して足温用の温熱器具としたものでもある。いずれもその電源には交流１００Ｖもしくはそれよりも低電圧な電池を用いることができる。
【発明の効果】
【０００７】  ６〜１０μｍの間にピーク波長を有する発熱体を熱源とすると、人の赤血球の直径が約８μｍである為、その波長の共振効果により、血行の促進、温熱効果が期待できる。またこの波長帯は蛋白質や脂肪など人体を構成する物質の吸収波長帯でもあり、人体を温めるに適している。またＰＴＣ面状発熱体を熱源とすることは、目的とする遠赤外線波長が得やすく、温度が自動制御しやすいとともに省エネルギー効果も得られる。本発明はＰＴＣ面状発熱体を適度な剛性と弾力性および耐亀裂性を有する樹脂材で補強したことによって頻繁な折曲げや極度の鋭角折曲げに起因した発熱体や通電部の亀裂損傷が防止できる。勿論、前記の足温用温熱器具とすれば、折曲げを受けることは少なく耐久性を一段と高めることができる。いずれも血行促進と健康増進に繋がる人体に優しい省エネルギー型の温熱器具なので、人体部位への良好な触感性、無害性を得ることができ、血流促進、健康増進効果、および運搬移動のたやすい安全性の高い温熱器具を提供出来る。
【図面の簡単な説明】
【０００８】
【図１】本発明の実施例１における面状温熱器具で、一部を破断して示した平面図。
【図２】同実施例１の面状温熱器具で一部を破断して示した側面図。
【図３】本発明の実施例２における足温用温熱器具の平面図。
【図４】同実施例２の足温用温熱器具の断面図。
【発明を実施するための形態】
【０００９】  本発明は、ＰＴＣ特性を持った面状発熱体を熱源とし、適度な剛性と弾力性及び耐亀裂性を有する樹脂材、例えばＰＥＴ材を上下どちらかの片面に密着させ、その外側に緩衝用としてスポンジ状樹脂材、例えばポリウレタン材を片面または両面に配し、最外側を外被用被膜体として無害性、通気性、強靭性、撥水性を有する布地、例えば撥水処理した天然繊維布で覆って面状の温熱器具としたものである。この温熱器具を平面の拡がりをもたせるために例えばマジックテープ（クラレ（株）の登録商標）などにより複数連結して、より広い面の暖房にも適用させることができる。あるいは面状発熱体を熱源とし、この熱源の片面に石灰岩系の石板を固定具で固定し、反対側の他面に断熱材をあてがって周囲を木材及び合板で固定すれば、足温用の温熱器具にできる。また固定具の長さを変えることによって複数の石板を連結する。
【実施例１】
【００１０】以下、本発明の実施例１を説明する。波長６〜１０μｍの間にピーク波長があるＰＴＣ面状発熱体を熱源１とし、その片面に補強材であるＰＥＴシート２を配し、さらにこの上下面をスポンジ状のポリウレタン緩衝材３で覆う。また緩衝材３の外側、最外側を無害性、通気性、強靭性、撥水性を有する天然繊維の綿布からなる外被材４で覆って面状ＰＴＣ温熱器具とした。外形寸法は４００ｍｍ×２９０ｍｍ×１５ｍｍ。図１はこの温熱器具の平面図であり、図中５は通電線である。図２はその一部分を破断した拡大側面図である。
【実施例２】
【００１１】  次に、本発明の実施例２を説明する。波長６〜１０μｍの間にピーク波長があるＰＴＣ面状発熱体を熱源１とし、面状発熱体の熱伝達板と補強目的のために、熱源の片面（上面）に石灰岩系の石板、例えば３００ｍｍ角で厚み１０ｍｍの大理石板６をステンレス鋼製の金具７で固定し、反対側の片面に断熱材、例えばポリエチレン系断熱材９をあてがい、これらの周囲を木材８で固定する。反対面にはさらに底板として木製合板１０を取り付けて足温用面状温熱器具とした。外形寸法は４５０ｍｍ×４５０ｍｍ×３０ｍｍ。図３は実施例２の温熱器具の平面図、図４は断面図である。
【産業上の利用可能性】
【００１２】  この発明の温熱器具は介護や医療用、足元や尻部の暖房のほか運搬移動性の高い暖房器具として、さらには各種車両用座席の温熱源として利用できる。
【符号の説明】
【００１３】１  面状ＰＴＣ発熱体からなる熱源
２  ＰＥＴシート
３  緩衝材
４  外被材
５  通電線
６  石板
７  止め用金具
８  木材
９  断熱材
１０  木製合板
【図１】
2011194193.tif 000003
【図２】
2011194193.tif 000004
【図３】
2011194193.tif 000005
【図４】
2011194193.tif 000006